(57)【要約】【課題】  被繰り出し物の用途に応じてリュースをしてはいけない場合や、衛生面に特に配慮が必要な部材を分別後、又は、部材洗浄後にも特定可能な構造の繰り出し容器を得ようとする。【解決手段】  内筒部４の外壁に変形可能な突片部６を設け、内筒部４を外筒部３に収容した際に、突片部６を変形させるようにした。【選択図】図２
2008212600.tif 000002
【特許請求の範囲】
【請求項１】
内周面に螺旋溝（３ａ）を設けた筒状の外筒部（３）内に、上下方向にガイド孔（４ａ）を有した筒状の内筒部（４）を相対回転可能に収容し、
この内筒部（４）内に、ガイド孔（４ａ）を貫通し外筒部（３）の螺旋溝（３ａ）に係合する主導突起（５ａ）を設けた筒状の受皿（５）を収容し、
外筒部（３）に対して内筒部（４）を相対回転させることにより受皿（５）が内筒部（４）内を螺旋溝（３ａ）に沿って上下方向に移動可能とした繰り出し容器において、
内筒部（４）の外壁に変形可能な突片部（６）を設け、内筒部（４）を外筒部（３）に収容する際に、突片部（６）を変形させ、分別時の使用済み確認を可能にしたことを特徴とする繰り出し容器。
【請求項２】
突片部（６）に当接する係合面（７）を外筒部（３）の内周面に設けたことを特徴とする請求項１記載の繰り出し容器。
【請求項３】
突片部（６）に弾性変形可能な先端部（６ａ）を設けたことを特徴とする請求項１記載の繰り出し容器。
【請求項４】
突片部（６）が当接する係合面（７）に段部（１６）を設けたことを特徴とする請求項１記載の繰り出し容器。
【請求項５】
突片部（６）が当接する係合面（７）を透明にしたことを特徴とする請求項１記載の繰り出し容器。
【発明の詳細な説明】
【技術分野】
【０００１】  本発明は、主に口紅、リップクリーム、スティックアイシャドー、スティックファンデーション等適量を露出させることができる棒状化粧料を収容する繰り出し容器に関するものである。このような繰り出し容器に収容される内容物、即ち、被繰り出し物としては、口紅やリップクリームのように比較的柔らかいスティック状に形成されたものが代表的であるが、その他に、ファンデーション、アイシャドー、頬紅、クリーム（下地、美白、クレンジングなど）等の仕上げ又は皮膚用化粧品類、整髪料、染毛料、ヘアトリートメント等の頭髪用化粧品類、香料類、ハップ剤、皮膚防護剤、殺菌剤、日やけ止め又は日やけ用等の特殊用途化粧品類、スティック糊等の事務用品類、靴下止め、カー用品としての曇り止めや傷補修材、しみ取り、靴墨等の雑貨類など種々の用途のものがある。
【背景技術】
【０００２】  この種の繰り出し容器は、図１に示すように、外筒部３に対して内筒部４を相対回転させることにより受皿５が内筒部４内を螺旋溝３ａに沿って上下方向に移動可能として、被繰り出し物の繰り出しを行うものである。繰り出し容器は、携帯性に優れていることから幅広く使用され、従来に比べて軟らかい皮膚用化粧品類や殺菌剤に用いられるなど多様化している。【０００３】  ところで、近年、環境問題への取り組みから繰り出し容器のリサイクルや、部材のリュースなどを可能にしようとする技術が多く、一例として以下の技術が開示されている（特許文献１・２）【０００４】
【特許文献１】特開２００３−９９４４号公報
【特許文献２】特開２００４−３５０９５４号公報
【発明の開示】
【発明が解決しようとする課題】
【０００５】  上記の様に、金属製部品と樹脂製部品を分別することや、分別した部材を変形させることなく取り出し、部材のリュースを可能にすることは開発のテーマの一つである。【０００６】  この種の技術では、部材を分別し、分別後の変形を抑えることで部材をリュースし、有効利用させることで環境に配慮しようとするものであるが、皮膚用化粧品類や殺菌剤の容器への部材の再利用は安全の観点から衛生面に配慮されなければならない。【０００７】  部材によっては、過去に充填されていた被繰り出し物の特定が必要になる医薬品等の容器として使用される可能性もでている。【０００８】  そこで、この発明は、被繰り出し物の用途に応じてリュースをしてはいけない場合や、衛生面に特に配慮が必要な部材を分別後、又は、部材洗浄後にも特定可能な構造の繰り出し容器を得ようとするものである。
【課題を解決するための手段】
【０００９】  この発明は、上記の課題を解決するために、内周面に螺旋溝３ａを設けた筒状の外筒部３内に、上下方向にガイド孔４ａを有した筒状の内筒部４を相対回転可能に収容し、この内筒部４内に、ガイド孔４ａを貫通し外筒部３の螺旋溝３ａに係合する主導突起５ａを設けた筒状の受皿５を収容し、外筒部３に対して内筒部４を相対回転させることにより受皿５が内筒部４内を螺旋溝３ａに沿って上下方向に移動可能とした繰り出し容器において、内筒部４の外壁に変形可能な突片部６を設け、内筒部４を外筒部３に収容する際に、突片部６を変形させ、分別時の使用済み確認を可能にしたことを特徴とする繰り出し容器である。【００１０】  このように、容器の分別後には突片部６が変形しているので使用済み部材であることを容易に確認することができる。【００１１】  突片部６に当接する係合面７を外筒部３の内周面に設けることで両部材（外筒部３・内筒部４）間の相対回転に与える影響を最小限に抑えることも可能である。【００１２】  また、突片部６に弾性変形可能な先端部６ａを設けることにより、両部材（外筒部３・内筒部４）間の相対回転に与える影響を抑えることも可能である。【００１３】  さらに、突片部６が当接する外筒部３の係合面７に段部１６を設けることにより、分別する際に突片部６が段部１６に引っ掛かり、より大きく変形させることや引きちぎることが可能になる。【００１４】  また、突片部（６）が当接する係合面（７）を透明にすることにより両部材（外筒部３・内筒部４）を組み込んだ後にも外観からの確認が可能になる。
【発明の効果】
【００１５】  上記のように、この発明は、一旦組み込まれた部材や使用済みの部材であることを知らせると共に、取扱に何らかの注意が必要であることを喚起し、また、確認することができるものである。
【発明を実施するための最良の形態】
【００１６】  図１は、この発明に係る繰り出し容器の一形態を示している。なお、符号は、共通する部材は共通の符号を付している。【００１７】  図１に示すように、外筒部３に対してハカマ２０を介して内筒部４を相対回転させることにより受皿５が容器本体１内を上下方向に移動し被繰り出し物を使用することができる。【００１８】  図２（ａ）は、この発明に係る繰り出し容器の一部断面図を含む平面図、及び部分拡大図である。部分拡大図に示すように、この実施例では、外筒部３の下部内周面に突片部６が当接する係合面７が設けられ、係合面７の最下部には断部１６が設けられている。水平方向に突き出した二対の突片部６は、外筒部３に押し倒され係合面７に当接し斜め下方向に変形する。係合面７は螺旋溝３ａの下に設けられているために突片部６と螺旋溝３ａが交差することはなく回転操作に影響を及ぼすことはない。【００１９】  図３は、この発明に係る繰り出し容器の一部断面図を含む平面図である。図３（ａ）は、外筒部３に内筒部４を収容する前の状態を示す図で、（ｂ）は、外筒部３に内筒部４を収容した状態を示す図である。図３（ａ）に示すように収容前、二対の突片部６は水平方向に突き出し、（ｂ）に示すように外筒部３に内筒部４を収容すると突片部６は外筒部３に押し倒され係合面７に当接し斜め下方向に変形する。【００２０】  図４は、この発明に係る繰り出し容器の内筒部４の平面図である。図４（ａ）は、使用前の内筒部４を示す図で、図４（ｂ）は、使用後の内筒部４を示す図である。この実施例では、図４（ａ）に示すように使用前の二対の突片部６は、水平方向に突き出し、先端にかけて薄く形成されている。薄く形成され先端部６ａは弾性変形し、外筒部３の係合面７に当接した際、相対回転操作に不快感を与えないように設定されている。使用後の突片部６は図４（ｂ）に示すように斜め下方向に変形している。このように一度収容された内筒部４は、突片部６が変形しているために、使用された部材であることを容易に確認することができる。また、変形した突片部６を水平方向に再び戻そうとする際には、基部６ｂが折れ、内筒部４から離脱するように設定することも可能である。さらに、内筒部４の最上部に設けた、外筒部３の抜け落ちを防止しているアンダーカット２３を省略することが可能になる。アンダーカット２３を省略することにより容器の小型化が可能になる。【００２１】また、請求項５に記載したように、突片部６が当接する係合面７を透明にする事や、外筒部３全体を透明にすることにより、万が一使用済みの内筒部４が再使用された場合にも、突片部６の離脱を外観から確認することが可能になる。
【図面の簡単な説明】
【００２２】
【図１】この発明に係る繰り出し容器の一例を示す斜視図である。
【図２】この発明に係る繰り出し容器の一部断面図を含む平面図、及び部分拡大図。
【図３】この発明に係る繰り出し容器の一部断面図を含む平面図である。（ａ）は、外筒部３に内筒部４を収容する前の状態を示す図で、（ｂ）は、外筒部３に内筒部４を収容した状態を示す図。
【図４】この発明に係る繰り出し容器の内筒部４の平面図である。（ａ）は、使用前の内筒部４を示す図、（ｂ）は、使用後の内筒部４を示す図。
【符号の説明】
【００２３】１    容器本体
３    外筒部
３ａ  螺旋溝
４    内筒部
４ａ  ガイド孔
５    受皿
５ａ  主導突起
６    突片部
６ａ  先端部
６ｂ  基部
７    係合面
１６  段部
２０  ハカマ
２１  中具
２２  金属スリーブ
２３  アンダーカット
【図１】
2008212600.tif 000003
【図２】
2008212600.tif 000004
【図３】
2008212600.tif 000005
【図４】
2008212600.tif 000006